(57)【要約】【課題】バイオフィルム抑制のために薬注される次亜塩素酸ナトリウムの薬注量、延いては給水中の遊離塩素濃度の調整量と、逆浸透膜の劣化を防止するため薬注される安定化剤の薬注量とのバランスを、簡便に取る。【解決手段】水処理システム１は、給水Ｗ１１を透過水Ｗ２０と濃縮水Ｗ３０とに分離する逆浸透膜モジュール１４と、給水Ｗ１１に安定化剤を薬注する安定化剤薬注装置３と、給水ラインＬ１又は濃縮排水ラインＬ５の酸化還元電位を測定する電位測定装置５と、電位測定装置５により測定された酸化還元電位に基づいて、給水Ｗ１１への安定化剤の薬注量を制御することにより、給水Ｗ１１中の遊離塩素濃度と安定化剤の濃度とのバランスを調整する薬剤濃度調整部３３と、を備える。【選択図】図１
2020082020.tif 000002
【特許請求の範囲】
【請求項１】
給水を透過水と濃縮水とに分離する逆浸透膜モジュールと、
給水を前記逆浸透膜モジュールに供給する給水ラインと、
前記逆浸透膜モジュールで分離された透過水を送出する透過水ラインと、
前記逆浸透膜モジュールで分離された濃縮水を送出する濃縮水ラインと、
前記濃縮水の一部又は全部を濃縮排水として、系外に排出する濃縮排水ラインと、
給水に安定化剤を薬注する安定化剤薬注装置と、
前記給水ライン又は前記濃縮排水ラインの酸化還元電位を測定する電位測定装置と、
前記電位測定装置により測定された酸化還元電位に基づいて、給水への安定化剤の薬注量を制御することにより、給水中の遊離塩素濃度と安定化剤の濃度とのバランスを調整する薬剤濃度調整部と、を備える、水処理システム。
【請求項２】
酸化還元電位の目標値である目標電位を設定する目標設定部を更に備え、
酸化還元電位の実測値が、前記目標電位よりも低い第１閾値以上、かつ、前記目標電位よりも高い第２閾値以下である場合に、前記薬剤濃度調整部は、安定化剤の薬注量を調整することでバランスを調整し、
酸化還元電位の実測値が、前記第１閾値未満であるか、前記第２閾値を超える場合に、前記薬剤濃度調整部は、遊離塩素濃度を調整することでバランスを調整する、請求項１に記載の水処理システム。
【請求項３】
前記酸化還元電位の目標値を含む目標電位範囲を設定する目標設定部を更に備え、
前記酸化還元電位の実測値が、前記目標電位範囲よりも低い第１閾値以上、かつ、前記目標電位範囲の下限値以下である場合に、前記薬剤濃度調整部は、安定化剤の薬注量を調整することでバランスを調整し、
前記酸化還元電位の実測値が、前記目標電位範囲内にある場合に、前記薬剤濃度調整部は、安定化剤の薬注量及び遊離塩素濃度を維持し、
前記酸化還元電位の実測値が、前記目標電位範囲の上限値以上、かつ、前記目標電位範囲よりも高い第２閾値以下である場合に、前記薬剤濃度調整部は、安定化剤の薬注量を調整することでバランスを調整し、
前記酸化還元電位の実測値が、前記第１閾値未満であるか、前記第２閾値を超える場合に、前記薬剤濃度調整部は遊離塩素濃度を調整することでバランスを調整する、請求項１に記載の水処理システム。
【請求項４】
給水又は濃縮排水のｐＨを測定するｐＨ測定手段と、
前記ｐＨ測定手段により測定されたｐＨに基づいて酸化還元電位の実測値を補正する酸化還元電位補正部と、を更に備え、
前記薬剤濃度調整部は、補正後の酸化還元電位に基づいて、遊離塩素濃度の調整量と安定化剤の薬注量とのバランスを調整する、請求項１〜３のいずれか１項に記載の水処理システム。
【請求項５】
給水中の遊離塩素濃度を調整する遊離塩素濃度調整手段を更に備え、
前記薬剤濃度調整部は、前記電位測定装置により測定された前記酸化還元電位に基づいて、更に給水中の遊離塩素濃度を制御することにより、給水中の遊離塩素濃度と安定化剤の濃度とのバランスを調整する、請求項１〜４のいずれか１項に記載の水処理システム。
【請求項６】
前記遊離塩素濃度調整手段として、給水に塩素系酸化剤を薬注する酸化剤薬注装置を更に備える、請求項５に記載の水処理システム。
【請求項７】
前記遊離塩素濃度調整手段として、給水に還元剤を薬注する還元剤薬注装置を更に備える、請求項５又は６に記載の水処理システム。
【請求項８】
前記安定化剤はアミン系化合物を含む、請求項１〜７のいずれか１項に記載の水処理システム。
【請求項９】
前記アミン系化合物はスルファミン酸化合物である、請求項８に記載の水処理システム。
【請求項１０】
前記安定化剤は臭素化合物を更に含む、請求項８又は９に記載の水処理システム。
【請求項１１】
前記透過水中のシリカ濃度を検出するシリカ濃度検出装置を更に備え、
前記シリカ濃度検出装置により検出されたシリカ濃度が所定の閾値以上であった場合に、薬剤濃度調整部は、遊離塩素及び安定化剤による酸化力を弱めるように給水中の薬剤濃度を調整する、請求項１〜１０のいずれか１項に記載の水処理システム。
【請求項１２】
前記目標設定部は、前記シリカ濃度検出装置により検出されたシリカ濃度に基づいて前記目標値を設定する、請求項２又は３に直接的又は間接的に従属する請求項１１に記載の水処理システム。
【請求項１３】
給水の水質を測定する水質測定手段を更に備え、
前記薬剤濃度調整部は、前記水質測定手段により測定された水質に基づいて、運転開始時における給水中の遊離塩素濃度の調整量及び給水への安定化剤の薬注量を設定する、請求項１〜１２のいずれか１項に記載の水処理システム。
【発明の詳細な説明】
【技術分野】
【０００１】
本発明は、水処理システムに関する。
【背景技術】
【０００２】
逆浸透膜を用いた膜ろ過プロセスを実行する水処理システムにおいて、微生物の繁茂に由来するバイオフィルムの抑制のため、微生物を除去するための塩素系殺菌剤として次亜塩素酸ナトリウムが用いられることがある。
例えば、特許文献１は、逆浸透膜を用いた造水方法であって、バイオフィルムの発生によるバイオファウリングの抑制のため、次亜塩素酸ナトリウムを水処理システム中の逆浸透膜に流入させる造水方法を開示している。
【先行技術文献】
【特許文献】
【０００３】
【特許文献１】特開２０１６−１９０２１４号公報
【発明の概要】
【発明が解決しようとする課題】
【０００４】
しかし、水処理システムへの次亜塩素酸ナトリウムの薬注により逆浸透膜は劣化する。逆浸透膜の劣化を防ぐため、水処理システムに安定化剤を添加することがあるが、安定化剤の添加量が過大な場合、次亜塩素酸ナトリウムによるバイオフィルム抑制の度合いが下がりすぎてしまう。従って、バイオフィルムを抑制しつつ、逆浸透膜の劣化を防ぐためには、水処理システムに薬注される次亜塩素酸ナトリウムの薬注量と安定化剤の薬注量とのバランスを取る必要がある。
【０００５】
本発明は、バイオフィルム抑制のために薬注される次亜塩素酸ナトリウムの薬注量と、逆浸透膜の劣化を防止するため薬注される安定化剤の薬注量とのバランスを、簡便に取ることが可能な水処理システムを提供することを目的とする。
【課題を解決するための手段】
【０００６】
本発明に係る水処理システムは、給水を透過水と濃縮水とに分離する逆浸透膜モジュールと、給水を前記逆浸透膜モジュールに供給する給水ラインと、前記逆浸透膜モジュールで分離された透過水を送出する透過水ラインと、前記逆浸透膜モジュールで分離された濃縮水を送出する濃縮水ラインと、前記濃縮水の一部又は全部を濃縮排水として、系外に排出する濃縮排水ラインと、給水に安定化剤を薬注する安定化剤薬注装置と、前記給水ライン又は前記濃縮排水ラインの酸化還元電位を測定する電位測定装置と、前記電位測定装置により測定された酸化還元電位に基づいて、給水への安定化剤の薬注量を制御 することにより、給水中の遊離塩素濃度と安定化剤の濃度とのバランスを調整する薬剤濃度調整部と、を備える。
【０００７】
また、上記の水処理システムは、酸化還元電位の目標値である目標電位を設定する目標設定部を更に備え、酸化還元電位の実測値が、前記目標電位よりも低い第１閾値以上、かつ、前記目標電位よりも高い第２閾値以下である場合に、前記薬剤濃度調整部は、安定化剤の薬注量を調整することでバランスを調整し、酸化還元電位の実測値が、前記第１閾値未満であるか、前記第２閾値を超える場合に、前記薬剤濃度調整部は、遊離塩素濃度を調整することでバランスを調整することが好ましい。
【０００８】
また、上記の水処理システムは、前記酸化還元電位の目標値を含む目標電位範囲を設定する目標設定部を更に備え、前記酸化還元電位の実測値が、前記目標電位範囲よりも低い第１閾値以上、かつ、前記目標電位範囲の下限値以下である場合に、前記薬剤濃度調整部は、安定化剤の薬注量を調整することでバランスを調整し、前記酸化還元電位の実測値が、前記目標電位範囲内にある場合に、前記薬剤濃度調整部は、安定化剤の薬注量及び遊離塩素濃度を維持し、前記酸化還元電位の実測値が、前記目標電位範囲の上限値以上、かつ、前記目標電位範囲よりも高い第２閾値以下である場合に、前記薬剤濃度調整部は、安定化剤の薬注量を調整することでバランスを調整し、前記酸化還元電位の実測値が、前記第１閾値未満であるか、前記第２閾値を超える場合に、前記薬剤濃度調整部は遊離塩素濃度を調整することでバランスを調整することが好ましい。
【０００９】
また、上記の水処理システムは、給水又は濃縮排水のｐＨを測定するｐＨ測定手段と、前記ｐＨ測定手段により測定されたｐＨに基づいて酸化還元電位の実測値を補正する酸化還元電位補正部と、を更に備え、前記薬剤濃度調整部は、補正後の酸化還元電位に基づいて、遊離塩素濃度の調整量と安定化剤の薬注量とのバランスを調整することが好ましい。
【００１０】
また、上記の水処理システムは、給水中の遊離塩素濃度を調整する遊離塩素濃度調整手段を更に備え、前記薬剤濃度調整部は、前記電位測定装置により測定された前記酸化還元電位に基づいて、更に給水中の遊離塩素濃度を制御することにより、給水中の遊離塩素濃度と安定化剤の濃度とのバランスを調整することが好ましい。
【００１１】
また、上記の水処理システムは、前記遊離塩素濃度調整手段として、給水に塩素系酸化剤を薬注する酸化剤薬注装置を更に備えることが好ましい。
【００１２】
また、上記の水処理システムは、前記遊離塩素濃度調整手段として、給水に還元剤を薬注する還元剤薬注装置を更に備えることが好ましい。
【００１３】
また、前記安定化剤はアミン系化合物を含むことが好ましい。
【００１４】
また、前記アミン系化合物はスルファミン酸化合物であることが好ましい。
【００１５】
また、前記安定化剤は臭素化合物を更に含むことが好ましい。
【００１６】
また、上記の水処理システムは、前記透過水中のシリカ濃度を検出するシリカ濃度検出装置を更に備え、前記シリカ濃度検出装置により検出されたシリカ濃度が所定の閾値以上であった場合に、薬剤濃度調整部は、遊離塩素及び安定化剤による酸化力を弱めるように給水中の薬剤濃度を調整することが好ましい。
【００１７】
また、前記目標設定部は、前記シリカ濃度検出装置により検出されたシリカ濃度に基づいて前記目標値を設定することが好ましい。
【００１８】
また、上記の水処理システムは、給水の水質を測定する水質測定手段を更に備え、前記薬剤濃度調整部は、前記水質測定手段により測定された水質に基づいて、運転開始時における給水中の遊離塩素濃度の調整量及び給水への安定化剤の薬注量を設定することが好ましい。
【発明の効果】
【００１９】
本発明によれば、バイオフィルム抑制のために薬注される次亜塩素酸ナトリウムの薬注量と、逆浸透膜の劣化を防止するため薬注される安定化剤の薬注量とのバランスを、簡便に取ることが可能となる。
【図面の簡単な説明】
【００２０】
【図１】本発明の第１実施形態に係る水処理システムの全体構成図である。
【図２】本発明の第１実施形態に係る水処理システムに備わる制御部の機能ブロック図である。
【図３】本発明の第１実施形態に係る水処理システムの動作を説明するフローチャートである。
【図４】本発明の第２実施形態に係る水処理システムに備わる制御部の機能ブロック図である。
【図５】本発明の第２実施形態に係る水処理システムの動作を説明するフローチャートである。
【図６】本発明の第３実施形態に係る水処理システムの全体構成図である。
【発明を実施するための形態】
【００２１】
〔１  第１実施形態〕
以下、本発明の第１実施形態である水処理システム１について、図１〜図３を参照しながら説明する。
【００２２】
〔１．１  発明の構成〕
図１は、本実施形態に係る水処理システム１の全体構成図である。
図１に示すように、水処理システム１は、第１薬剤添加装置３と、第２薬剤添加装置４と、ＯＲＰセンサ５と、ｐＨセンサ６と、水質センサ７と、加圧ポンプ１２と、インバータ１３と、定流量弁１５と、比例制御排水弁１６と、制御部３０と、を備える。なお、制御部３０と被制御対象機器との電気的接続線の図示については、省略している。
【００２３】
水処理システム１は、ラインとして、給水ラインＬ１と、透過水ラインＬ２と、濃縮水ラインＬ３と、循環水ラインＬ４と、濃縮排水ラインＬ５と、を備える。「ライン」とは、流路、経路、管路等の流体の流通が可能なラインの総称である。また、その由来（出所）やその水質によらず、給水ラインＬ１、濃縮水ラインＬ３又は循環水ラインＬ４を流通する水を、「給水」ともいい、濃縮水ラインＬ３、循環水ラインＬ４又は濃縮排水ラインＬ５を流通する水を、「濃縮水」ともいう。
【００２４】
給水ラインＬ１は、給水Ｗ１１〜Ｗ１２を逆浸透膜モジュール１４に向けて供給するラインである。給水ラインＬ１は、上流側から下流側に向けて、第１給水ラインＬ１１と、第２給水ラインＬ１２とを有する。
【００２５】
第１給水ラインＬ１１の上流側の端部は、給水Ｗ１１の水源２に接続されている。第１給水ラインＬ１１の下流側の端部は、接続部Ｊ１において、第２給水ラインＬ１２及び循環水ラインＬ４に接続されている。第１給水ラインＬ１１には、第１薬剤添加装置３、第２薬剤添加装置４、ＯＲＰセンサ５、ｐＨセンサ６、及び水質センサ７が、上流側から下流側に向けてこの順で設けられる。
【００２６】
第１薬剤添加装置３は、給水ラインＬ１に第１薬剤を添加する装置である。第１薬剤添加装置３は、制御部３０と電気的に接続されている。
本実施形態において、第１薬剤添加装置３は、逆浸透膜モジュール１４に備わる逆浸透膜の劣化を防ぐために、第１薬剤として安定化剤を添加する。安定化剤の添加により、例えば給水Ｗ１１に含まれる次亜塩素酸は、安定化次亜塩素酸になる。逆浸透膜モジュール１４において、逆浸透膜の劣化を効果的に抑制可能なことから、第１薬剤の例としては、アミン系化合物、例えばスルファミン酸化合物等を含む安定化剤が挙げられる。なお、第１薬剤がスルファミン酸の場合、スルファミン酸の添加量は、給水Ｗ１１中の次亜塩素酸に由来する有効塩素：スルファミン酸のモル比が、１：１〜２０程度となることが好ましく、１：１．５〜１０程度とするとなおよい。有効塩素１に対して、スルファミン酸が１を切ると、両者の反応効率が１００％だと仮定しても、遊離塩素が生じるためである。
【００２７】
また、第１薬剤としての安定化剤は、更に臭素化合物を含んでもよい。臭素化合物の添加により、間接的に次亜臭素酸が生成され、次亜臭素酸とスルファミン酸が反応することにより、最終的に臭化スルファミン酸化合物が生成される。臭素化合物の例としては、臭化ナトリウム等が挙げられる。なお、臭素化合物の添加量は、給水Ｗ１１中の次亜塩素酸に由来する有効塩素：臭素化合物のモル比が１：１〜１０程度となることが好ましく、１：１〜２程度とするとなおよい。
【００２８】
以下では説明の簡略化のため、第１薬剤がスルファミン酸である例について説明するが、本発明はこれには限られない。
【００２９】
第２薬剤添加装置４は、給水ラインＬ１に第２薬剤を添加する装置である。第２薬剤添加装置４は、制御部３０と電気的に接続されている。
本実施形態において、第２薬剤添加装置４は、逆浸透膜モジュール１４におけるバイオフィルムの析出を抑制するために、第２薬剤として酸化剤を添加することにより、給水Ｗ１１中の遊離塩素濃度を調整する。逆浸透膜モジュール１４において、逆浸透膜の表面にバイオフィルムが付着することを効果的に抑制可能なことから、第２薬剤の例として、次亜塩素酸ソーダ等の塩素系酸化剤が挙げられる。なお、第２薬剤が次亜塩素酸ソーダの場合、次亜塩素酸ソーダの添加量は、給水Ｗ１１中の有効塩素濃度が、０．０１〜５ｍｇＣｌ２／Ｌ程度となることが好ましい。
以下では説明の簡略化のため、第２薬剤が次亜塩素酸ソーダである例について説明するが、本発明はこれには限られない。他の塩素系酸化剤として、例えば、液化塩素、さらし粉、塩素化イソシアヌル酸等を用いてもよい。
【００３０】
ＯＲＰセンサ５は、第１給水ラインＬ１１を流通する給水Ｗ１１の酸化還元電位を検出する機器である。ＯＲＰセンサ５は、第１給水ラインＬ１１に接続されている。また、ＯＲＰセンサ５は、制御部３０と電気的に接続されている。ＯＲＰセンサ５で検出された給水Ｗ１１の酸化還元電位値ＯＲＰ（以下、「検出ＯＲＰ値」ともいう）は、制御部３０へ検出信号として送信される。本実施形態においては、ＯＲＰセンサ５は、リアルタイムで酸化還元電位値ＯＲＰを検出し、制御部３０へ酸化還元電位値ＯＲＰを送信する。なお、「酸化還元電位」は、給水Ｗ１１の酸化力（殺菌作用）が強くなる程、正の値で大きい値を示す。
【００３１】
ｐＨセンサ６は、第１給水ラインＬ１１を流通する給水Ｗ１１のｐＨを検出する機器である。ｐＨセンサ６は、第１給水ラインＬ１１に接続されている。また、ｐＨセンサ６は、制御部３０と電気的に接続されている。ｐＨセンサ６で検出された給水Ｗ１１のｐＨ（以下、「検出ｐＨ値」ともいう）は、制御部３０へ検出信号として送信される。
【００３２】
水質センサ７は、給水Ｗ１１の水質を測定する。水質センサ７は、制御部３０と電気的に接続されている。
本実施形態において、水質センサ７は、給水Ｗ１１の水質として、ＴＯＣ（Total Organic Carbon：全有機炭素量）、ＣＯＤ（Chemical Oxygen Demand：化学的酸素要求量）、ＢＯＤ（Biochemical Oxygen Demand：生物化学的酸素要求量）、ＡＯＣ（Assimilable Organic Carbon：同化可能有機炭素量）等の有機物量や、細菌数、ＡＴＰ数等の微生物量のいずれか一つ以上を測定する。制御部３０は、水質センサ７からこれらの測定値を受信し、受信した測定値を用いてバイオフィルムリスクを予測し、予測したバイオフィルムリスクに基づいて、水処理システム１の運転開始時における給水Ｗ１１への第１薬剤及び第２薬剤の薬注量を設定する。
【００３３】
或いは、水質センサ７は、給水Ｗ１１の水質として給水Ｗ１１に含まれる還元性物質の濃度を測定してもよい。具体的には、水質センサ７は、還元性物質である鉄イオン、マンガンイオン等の金属イオンや、亜硝酸イオン等のイオン濃度、アンモニア性窒素（アンモニアイオン中の窒素）の量、或いはＳＢＳ（重亜硫酸ソーダ：ＮａＨＳＯ３）等の濃度を測定する。制御部３０は、水質センサ７からこれらの還元性物質濃度の測定値を受信し、受信した測定値を用いて給水Ｗ１１中の遊離塩素濃度を調整するため、水処理システム１の運転開始時における給水Ｗ１１への第１薬剤及び第２薬剤の薬注量を設定する。
【００３４】
第２給水ラインＬ１２の上流側の端部は、接続部Ｊ１に接続されている。第２給水ラインＬ１２の下流側の端部は、逆浸透膜モジュール１４の一次側入口ポートに接続されている。第２給水ラインＬ１２には、加圧ポンプ１２が設けられる。
【００３５】
加圧ポンプ１２は、給水Ｗ１２を吸入し、逆浸透膜モジュール１４に向けて圧送（吐出）する装置である。加圧ポンプ１２には、インバータ１３から周波数が変換された駆動電力が供給される。加圧ポンプ１２は、供給（入力）された駆動電力の周波数（以下、「駆動周波数」ともいう）に応じた回転速度で駆動される。
【００３６】
インバータ１３は、加圧ポンプ１２に、周波数が変換された駆動電力を供給する電気回路（又はその回路を持つ装置）である。インバータ１３は、制御部３０と電気的に接続されている。インバータ１３には、制御部３０から指令信号が入力される。インバータ１３は、制御部３０により入力された指令信号（電流値信号又は電圧値信号）に対応する駆動周波数の駆動電力を加圧ポンプ１２に出力する。
【００３７】
給水Ｗ１２は、加圧ポンプ１２を介して逆浸透膜モジュール１４に供給される。また、給水Ｗ１２は、給水Ｗ１１及び循環水Ｗ４０（後述）からなる。
【００３８】
逆浸透膜モジュール１４は、給水Ｗ１２を透過水Ｗ２０と濃縮水Ｗ３０とに分離する設備である。詳細には、逆浸透膜モジュール１４は、加圧ポンプ１２から吐出された給水Ｗ１２を、溶存塩類が除去された透過水Ｗ２０と、溶存塩類が濃縮された濃縮水Ｗ３０とに膜分離処理する設備である。逆浸透膜モジュール１４は、単一又は複数の逆浸透膜エレメント（図示せず）を備える。逆浸透膜モジュール１４は、これら逆浸透膜エレメントにより給水Ｗ１２を膜分離処理し、透過水Ｗ２０と濃縮水Ｗ３０とを製造する。
【００３９】
透過水ラインＬ２は、逆浸透膜モジュール１４で分離された透過水Ｗ２０を送出するラインである。透過水ラインＬ２の上流側の端部は、逆浸透膜モジュール１４の二次側ポートに接続されている。透過水ラインＬ２の下流側の端部は、貯留タンク（図示せず）に接続されている。
【００４０】
濃縮水ラインＬ３は、逆浸透膜モジュール１４で分離された濃縮水Ｗ３０が流通するラインである。濃縮水ラインＬ３の上流側の端部は、逆浸透膜モジュール１４の二次側ポートに接続されている。また、濃縮水ラインＬ３の下流側は、接続部Ｊ２において、循環水ラインＬ４及び濃縮排水ラインＬ５に分岐している。
【００４１】
循環水ラインＬ４は、濃縮水ラインＬ３に接続され、給水としての濃縮水（循環水Ｗ４０）を給水ラインＬ１に返送するラインである。本実施形態においては、循環水ラインＬ４は、濃縮水ラインＬ３を流通する濃縮水Ｗ３０を循環水Ｗ４０として、給水ラインＬ１における加圧ポンプ１２よりも上流側に返送（循環）させるラインである。循環水ラインＬ４の上流側の端部は、接続部Ｊ２において濃縮水ラインＬ３に接続されている。また、循環水ラインＬ４の下流側の端部は、接続部Ｊ１において、給水ラインＬ１に接続されている。循環水ラインＬ４には、定流量弁１５が設けられる。
【００４２】
定流量弁１５は、循環水ラインＬ４を流通する循環水Ｗ４０の流量を所定の一定流量値に保持するように調節する機器である。定流量弁１５において保持される「一定流量値」とは、一定流量値に幅がある概念であり、定流量弁における目標流量値のみに限られない。例えば、定流量機構の特性（例えば、材質や構造に起因する温度特性等）を考慮して、定流量弁における目標流量値に対して、±１０％程度の調節誤差を有するものを含む。定流量弁１５は、補助動力や外部操作を必要とせずに一定流量値を保持するものであり、例えば、水ガバナの名称で呼ばれるものが挙げられる。なお、定流量弁１５は、補助動力や外部操作により動作して、一定流量値を保持するものでもよい。
【００４３】
濃縮排水ラインＬ５は、濃縮水ラインＬ３に接続され、濃縮排水Ｗ５０としての濃縮水を系外へ排出するラインである。本実施形態においては、濃縮排水ラインＬ５は、接続部Ｊ２において濃縮水ラインＬ３に接続され、逆浸透膜モジュール１４で分離された濃縮水Ｗ３０を、濃縮排水Ｗ５０として装置外（系外）に排出するラインである。濃縮排水ラインＬ５には、比例制御排水弁１６が設けられる。
【００４４】
比例制御排水弁１６は、濃縮排水ラインＬ５から装置外に排出される濃縮排水Ｗ５０の流量を調節する弁である。比例制御排水弁１６は、制御部３０と電気的に接続されている。比例制御排水弁１６の弁開度は、制御部３０から送信される駆動信号により制御される。制御部３０から電流値信号（例えば、４〜２０ｍＡ）を比例制御排水弁１６に送信して、弁開度を制御することにより、濃縮排水Ｗ５０の排水流量を調節することができる。
【００４５】
制御部３０は、ＣＰＵ及びメモリを含むマイクロプロセッサ（図示せず）により構成される。制御部３０において、マイクロプロセッサのＣＰＵは、メモリから読み出した所定のプログラムに従って、水処理システム１に係る各種の制御を実行する。以下、制御部３０の機能の一部について説明する。
【００４６】
図２は、制御部３０の機能ブロックである。制御部３０は、目標設定部３１と、酸化還元電位補正部３２と、薬剤濃度調整部３３とを備える。
【００４７】
目標設定部３１は、ＯＲＰセンサ５によって測定される酸化還元電位の目標値を設定する。より詳細には、ＯＲＰセンサ５によって測定される酸化還元電位がこの目標値となるように、第１薬剤添加装置３が給水ラインＬ１に第１薬剤としての安定化剤を添加することで、膜劣化傾向とならない範囲を保ちながら、第２薬剤添加装置４が、給水ラインＬ１に第２薬剤としての酸化剤を添加することにより、バイオフィルム抑制を実行する。
【００４８】
酸化還元電位補正部３２は、ｐＨセンサ６により測定されたｐＨに基づいて、ＯＰＲセンサ５によって測定される酸化還元電位の実測値を、例えばｐＨ＝８前後の基準ｐＨでの酸化還元電位に補正する。これにより、後述の薬剤濃度調整部３３は、より正確な酸化還元電位の値に基づいて、薬剤濃度を調整することが可能となる。
【００４９】
薬剤濃度調整部３３は、酸化還元電位補正部３２によって補正された酸化還元電位に基づいて、第１薬剤添加装置３による給水Ｗ１１への安定化剤の薬注量、及び第２薬剤添加装置４による給水Ｗ１１への塩素系酸化剤の薬注量を制御することにより、両者のバランスを調整する。
【００５０】
とりわけ本実施形態においては、例えば、補正後の酸化還元電位の値の領域を、低い値の領域から高い値の領域へと順に、第１領域、第２領域、第３領域に分割すると共に、目標設定部３１により設定された酸化還元電位の目標値が含まれるように第２領域を設定する。
【００５１】
補正後の酸化還元電位の値が第１領域にある場合には、薬剤濃度調整部３３は、第２薬剤添加装置４を制御し、給水Ｗ１１への塩素系酸化剤の添加量を増加することにより、給水Ｗ１１中の遊離塩素濃度が高まるよう調整する。
【００５２】
補正後の酸化還元電位が第２領域にある場合には、薬剤濃度調整部３３は、第１薬剤添加装置３を制御し、給水Ｗ１１への安定化剤の添加量を調整することにより、膜劣化傾向とならない範囲まで、補正後の酸化還元電位の値を下げる。
【００５３】
補正後の酸化還元電位が第３領域にある場合には、薬剤濃度調整部３３は、第２薬剤添加装置４を制御し、給水Ｗ１１への塩素系酸化剤の添加量を減少することにより、給水Ｗ１１中の遊離塩素濃度が低くなるよう調整する。
【００５４】
これにより、補正後の酸化還元電位に基づいて、塩素系酸化剤及び安定化剤の薬注量を調整することにより、バイオフィルムの生成を抑えつつ膜劣化の度合いを極力抑えるように、薬剤濃度を調整することが可能となる。
【００５５】
なお、酸化還元電位の領域分割方法、及び各領域における薬剤濃度調整部３３による、第１薬剤添加装置３、第２薬剤添加装置４の制御方法はあくまで一例であって、これには限定されない。例えば、補正後の酸化還元電位ではなく、酸化還元電位の実測値の領域を分割し、薬剤濃度調整部３３は、酸化還元電位の実測値がどの領域に属するかによって、第１薬剤添加装置３及び第２薬剤添加装置４を制御してもよい。
【００５６】
また、薬剤濃度調整部３３は、水質センサ７により測定された水質に基づいて、水処理システム１の運転開始時における、給水ラインＬ１への塩素系酸化剤の薬注量、安定化剤の薬注量、及び臭素化合物の薬注量を初期設定することにより、給水Ｗ１１中の塩素系酸化剤の含有量、安定化剤の含有量、及び臭素化合物の含有量のバランスを調整してもよい。
【００５７】
〔１．２  第１実施形態の動作〕
以下、本発明の第１実施形態に係る水処理システム１の動作について、図面を参照しながら説明する。図３は、本発明の水処理システム１の動作を示すフローチャートである。
なお、以下では、上記の第１領域を補正後の酸化還元電位がＰ１未満の領域とし、上記の第２領域を補正後の酸化還元電位がＰ１以上Ｐ２未満の領域とし、上記の第３領域を補正後の酸化還元電位がＰ２以上の領域とする。これらＰ１、Ｐ２は、１００〜８００ｍＶの間で任意に設定される数値とすると好適である。
【００５８】
ステップＳ１１において、補正後の酸化還元電位の値がＰ１未満である場合（Ｓ１１：ＹＥＳ）には、処理はステップＳ１２に移行する。補正後の酸化還元電位の値がＰ１以上である場合（Ｓ１１：ＮＯ）には、処理はステップＳ１３に移行する。
【００５９】
ステップＳ１２において、薬剤濃度調整部３３は、第２薬剤添加装置４を制御し、給水Ｗ１１への塩素系酸化剤の薬注量を増加することにより、給水Ｗ１１中の遊離塩素濃度が高くなるよう調整する。その後、処理はステップＳ１１に移行する（リターン）。
【００６０】
ステップＳ１３において、補正後の酸化還元電位の値がＰ１以上Ｐ２未満である場合（Ｓ１３：ＹＥＳ）には、処理はステップＳ１４に移行する。補正後の酸化還元電位の値がＰ２以上である場合（Ｓ１３：ＮＯ）には、処理はステップＳ１５に移行する。
【００６１】
ステップＳ１４において、薬剤濃度調整部３３は、第１薬剤添加装置３を制御し、給水Ｗ１１への安定化剤の薬注量を調整することにより、膜劣化傾向とならない範囲まで、補正後の酸化還元電位の値を下げる。その後、処理はステップＳ１１に移行する（リターン）。
【００６２】
ステップＳ１５において、薬剤濃度調整部３３は、第２薬剤添加装置４を制御し、給水Ｗ１１への塩素系酸化剤の薬注量を減少することにより、給水Ｗ１１中の遊離塩素濃度が低くなるよう調整する。その後、処理はステップＳ１１に移行する（リターン）。
【００６３】
〔１．３  第１実施形態の効果〕
上述した本実施形態に係る水処理システム１によれば、例えば、以下のような効果が奏される。
水処理システム１は、給水Ｗ１１に安定化剤を薬注する第１薬剤添加装置３と、給水ラインＬ１の酸化還元電位を測定するＯＲＰセンサ５と、ＯＲＰセンサ５により測定された酸化還元電位に基づいて、給水Ｗ１１への安定化剤の薬注量を制御することにより、給水Ｗ１１中の遊離塩素濃度と安定化剤の濃度とのバランスを調整する薬剤濃度調整部３３と、を備える。
これにより、逆浸透膜を用いた水処理システム１において、バイオフィルムを抑制しつつ逆浸透膜の劣化を防ぐため、給水Ｗ１１中の遊離塩素濃度と水処理システム１に薬注される安定化剤の濃度とのバランスを簡便に取ることが可能となる。
【００６４】
また、水処理システム１は、酸化還元電位の目標値である目標電位を設定する目標設定部３１を更に備え、酸化還元電位の実測値が、目標電位よりも低い第１閾値以上、かつ、目標電位よりも高い第２閾値以下である場合に、薬剤濃度調整部３３は、安定化剤の薬注量を調整することでバランスを調整し、酸化還元電位の実測値が、第１閾値未満であるか、第２閾値を超える場合に、前記薬剤濃度調整部は遊離塩素濃度を調整することでバランスを調整する。
酸化還元電位が目標値よりも高い場合には、逆浸透膜へのダメージが懸念されるが、この場合、塩素系酸化剤の薬注量を下げることにより、遊離塩素濃度が下がり過ぎてしまうことがある。酸化還元電位の実測値が高すぎず低すぎもしない範囲にある場合に、塩素系酸化剤ではなく安定化剤を制御することで、バイオフィルム抑制効果を維持するための遊離塩素濃度をある程度保ちながら、塩素系酸化剤と安定化剤とのバランスを取ることが可能となる。
【００６５】
また、水処理システム１は、給水Ｗ１１のｐＨを測定するｐＨセンサ６と、ｐＨセンサ６により測定されたｐＨに基づいて酸化還元電位の実測値を補正する酸化還元電位補正部３２と、を更に備え、薬剤濃度調整部３３は、補正後の酸化還元電位に基づいて、遊離塩素濃度の調整量と安定化剤の薬注量とのバランスを調整する。
ｐＨによって酸化還元電位は大きく動くため、酸化還元電位の実測値を基準ｐＨでの酸化還元電位に補正した上で、補正後の酸化還元電位を用いることにより、安定的な制御が可能となる。
【００６６】
また、水処理システム１は、給水Ｗ１１中の遊離塩素濃度を調整する遊離塩素濃度調整手段を更に備え、薬剤濃度調整部３３は、ＯＲＰセンサ５により測定された酸化還元電位に基づいて、更に給水Ｗ１１中の遊離塩素濃度を調整することにより、給水Ｗ１１中の遊離塩素濃度と安定化剤の濃度とのバランスを調整する。
給水Ｗ１１中の遊離塩素濃度を調整することにより、逆浸透膜を用いた水処理システム１において、バイオフィルムを抑制しつつ逆浸透膜の劣化を防ぐため、給水Ｗ１１中の遊離塩素濃度と安定化剤の濃度とのバランスを簡便に取ることが可能となる。
【００６７】
また、水処理システム１は、遊離塩素濃度調整手段として、給水に塩素系酸化剤を薬注する第２薬剤添加装置４を更に備える。
これにより、逆浸透膜を用いた水処理システム１において、バイオフィルムを抑制しつつ逆浸透膜の劣化を防ぐため、水処理システム１に薬注される塩素系酸化剤の薬注量と安定化剤の薬注量とのバランスを簡便に取ることが可能となる。
【００６８】
また、上記の安定化剤はアミン系化合物を含む。
安定化剤としてアミン系化合物を用い、塩素系酸化剤との反応により安定化塩素成分を生成することで、逆浸透膜のダメージにつながる酸化力を弱めつつ、スライムコントロールのための有効成分として機能する。
【００６９】
また、上記のアミン系化合物はスルファミン酸化合物である。
安定化剤としてスルファミン酸化合物を用い、塩素系酸化剤との反応により安定化塩素成分を生成することで、逆浸透膜のダメージにつながる酸化力を弱めつつ、スライムコントロールのための有効成分として機能する。
【００７０】
また、上記の安定化剤は臭素化合物を含む。
臭素系の安定化剤を用いることにより、塩素系の安定化剤を用いた場合に比較して、逆浸透膜に与えるダメージを小さくすることが可能となる。
【００７１】
また、水処理システム１は、給水Ｗ１１の水質を測定する水質センサ７を更に備え、薬剤濃度調整部３３は、水質センサ７により測定された水質に基づいて、運転開始時における給水Ｗ１１中の遊離塩素濃度の調整量及び給水Ｗ１１への安定化剤の薬注量を設定する。
事前に給水の水分析をすることにより、バイオフィルムリスクを確認した上で、バイオフィルムリスクに応じた薬注の初期条件を設定することが可能となる。
〔２  第２実施形態〕
以下、本発明の第２実施形態である水処理システム１Ａについて、図４〜図５を参照しながら説明する。
【００７２】
〔２．１  発明の構成〕
本実施形態に係る水処理システム１Ａの全体構成は、図１に例示される第１実施形態に係る水処理システム１の全体構成と基本的には同一であるため、図示を省略する。また、以降の説明では、説明の簡略化のため、基本的に、水処理システム１Ａが水処理システム１と相違する点について説明する。
【００７３】
本実施形態に係る水処理システム１Ａは、水処理システム１と異なり、制御部３０の代わりに制御部３０Ａを備える。
図４は、制御部３０Ａの機能ブロック図である。制御部３０Ａは、目標設定部３１Ａと、酸化還元電位補正部３２と、薬剤濃度調整部３３Ａとを備える。
【００７４】
目標設定部３１Ａは、ＯＲＰセンサ５によって測定される酸化還元電位の目標値を含む目標電位範囲を設定する。すなわち、第１実施形態において、目標設定部３１は、酸化還元電位の目標値自体を設定していた所、本実施形態において、目標設定部３１Ａは、この目標値を含む目標電位範囲を設定する。より詳細には、ＯＲＰセンサ５によって測定される酸化還元電位がこの目標電位範囲に含まれるように、第１薬剤添加装置３が給水ラインＬ１に第１薬剤としての安定化剤を添加することで、膜劣化傾向とならない範囲を保ちながら、第２薬剤添加装置４が、給水ラインＬ１に第２薬剤としての酸化剤を添加することにより、バイオフィルム抑制を実行する。
【００７５】
薬剤濃度調整部３３Ａは、酸化還元電位補正部３２によって補正された酸化還元電位に基づいて、第１薬剤添加装置３による給水Ｗ１１への安定化剤の薬注量、及び第２薬剤添加装置４による給水Ｗ１１への塩素系酸化剤の薬注量を制御することにより、両者のバランスを調整する。
【００７６】
とりわけ本実施形態においては、例えば、補正後の酸化還元電位の値の領域を、低い値の領域から高い値の領域へと順に、第１領域、第２領域、第３領域、第４領域、第５領域に分割すると共に、目標設定部３１Ａにより設定された酸化還元電位の目標電位範囲が第３領域となるよう設定する。
【００７７】
補正後の酸化還元電位の値が第１領域にある場合には、薬剤濃度調整部３３Ａは、第２薬剤添加装置４を制御し、給水Ｗ１１への塩素系酸化剤の添加量を増加することにより、給水Ｗ１１中の遊離塩素濃度が高くなるよう調整する。
【００７８】
補正後の酸化還元電位が第２領域又は第４領域にある場合には、薬剤濃度調整部３３Ａは、第１薬剤添加装置３を制御し、給水Ｗ１１への安定化剤の添加量を調整することにより、膜劣化傾向とならない範囲まで、補正後の酸化還元電位の値を上下させる。
【００７９】
補正後の酸化還元電位が第３領域にある場合には、薬剤濃度調整部３３Ａは、第１薬剤添加装置３及び第２薬剤添加装置４を制御し、給水Ｗ１１への塩素系酸化剤及び安定化剤の添加量を維持することにより、補正後の酸化還元電位が第３領域内に留まるようにする。
【００８０】
補正後の酸化還元電位が第５領域にある場合には、薬剤濃度調整部３３Ａは、第２薬剤添加装置４を制御し、給水Ｗ１１への塩素系酸化剤の添加量を減少することにより、給水Ｗ１１中の遊離塩素濃度が低くなるよう調整する。
【００８１】
なお、酸化還元電位の領域分割方法、及び各領域における薬剤濃度調整部３３Ａによる、第１薬剤添加装置３、第２薬剤添加装置４の制御方法はあくまで一例であって、これには限定されない。例えば、補正後の酸化還元電位ではなく、酸化還元電位の実測値の領域を分割し、薬剤濃度調整部３３Ａは、酸化還元電位の実測値がどの領域に属するかによって、第１薬剤添加装置３及び第２薬剤添加装置４を制御してもよい。
【００８２】
〔２．２  第２実施形態の動作〕
以下、本発明の第２実施形態に係る水処理システム１Ａの動作について、図面を参照しながら説明する。図５は、本発明の水処理システム１Ａの動作を示すフローチャートである。
なお、以下では、上記の第１領域を補正後の酸化還元電位がＰ３未満の領域とし、上記の第２領域を補正後の酸化還元電位がＰ３以上Ｐ４未満の領域とし、上記の第３領域を補正後の酸化還元電位がＰ４以上Ｐ５以下の領域とし、上記の第４領域を補正後の酸化還元電位がＰ５を超えＰ６未満の領域とし、上記の第５領域を補正後の酸化還元電位がＰ６以上の領域とする。これらＰ３、Ｐ４、Ｐ５、Ｐ６は、１００〜８００ｍＶの間で任意に設定される数値とすると好適である。
【００８３】
ステップＳ２１において、補正後の酸化還元電位の値がＰ３未満である場合（Ｓ２１：ＹＥＳ）には、処理はステップＳ２２に移行する。補正後の酸化還元電位の値がＰ３以上である場合（Ｓ２１：ＮＯ）には、処理はステップＳ２３に移行する。
【００８４】
ステップＳ２２において、薬剤濃度調整部３３Ａは、第２薬剤添加装置４を制御し、給水Ｗ１１への塩素系酸化剤の薬注量を増加することにより、給水Ｗ１１中の遊離塩素濃度が高まるよう調整する。その後、処理はステップＳ２１に移行する（リターン）。
【００８５】
ステップＳ２３において、補正後の酸化還元電位の値がＰ３以上Ｐ４未満、又はＰ５を超えＰ６未満である場合（Ｓ２３：ＹＥＳ）には、処理はステップＳ２４に移行する。補正後の酸化還元電位の値がＰ４以上Ｐ５未満、又はＰ６以上である場合（Ｓ２３：ＮＯ）には、処理はステップＳ２５に移行する。
【００８６】
ステップＳ２４において、薬剤濃度調整部３３Ａは、第１薬剤添加装置３を制御し、給水Ｗ１１への安定化剤の薬注量を調整することにより、膜劣化傾向とならない範囲まで、補正後の酸化還元電位の値を上下させる。その後、処理はステップＳ２１に移行する（リターン）。
【００８７】
ステップＳ２５において、補正後の酸化還元電位の値がＰ４以上Ｐ５以下である場合（Ｓ２５：ＹＥＳ）には、処理はステップＳ２６に移行する。補正後の酸化還元電位の値がＰ６以上である場合（Ｓ２５：ＮＯ）には、処理はステップＳ２７に移行する。
【００８８】
ステップＳ２６において、薬剤濃度調整部３３Ａは、第１薬剤添加装置３及び第２薬剤添加装置４を制御し、給水Ｗ１１への塩素系酸化剤及び安定化剤の添加量を維持することにより、補正後の酸化還元電位が第３領域内に留まるようにする。
【００８９】
ステップＳ２７において、薬剤濃度調整部３３Ａは、第２薬剤添加装置４を制御し、給水Ｗ１１への塩素系酸化剤の薬注量を減少することにより、給水Ｗ１１中の遊離塩素濃度が低くなるよう調整する。その後、処理はステップＳ２１に移行する（リターン）。
【００９０】
〔２．３  第２実施形態の効果〕
上述した本実施形態に係る水処理システム１Ａによれば、例えば、以下のような効果が奏される。
水処理システム１Ａは、酸化還元電位の目標値を含む目標電位範囲を設定する目標設定部３１Ａを更に備え、酸化還元電位の実測値が、目標電位範囲よりも低い第１閾値以上、かつ、目標電位範囲の下限値未満である場合に、薬剤濃度調整部３３Ａは、安定化剤の薬注量を調整することでバランスを調整し、酸化還元電位の実測値が、目標電位範囲内にある場合に、薬剤濃度調整部３３Ａは、安定化剤の薬注量及び遊離塩素濃度を維持し、酸化還元電位の実測値が、目標電位範囲の上限値を超え、かつ、前記目標電位範囲よりも高い第２閾値未満である場合に、薬剤濃度調整部３３Ａは、安定化剤の薬注量を調整することでバランスを調整し、酸化還元電位の実測値が、前記第１閾値未満であるか、第２閾値以上である場合に、前記薬剤濃度調整部は遊離塩素濃度を調整することでバランスを調整する。
酸化還元電位が目標値よりも高い場合には、逆浸透膜へのダメージが懸念されるが、この場合、塩素系酸化剤の薬注量を下げることにより、塩素濃度が下がり過ぎてしまうことがある。酸化還元電位の実測値が高すぎず低すぎもしない範囲にある場合に、塩素系酸化剤ではなく安定化剤を制御することで、バイオフィルム抑制効果を維持するための塩素濃度をある程度保ちながら、塩素系酸化剤と安定化剤とのバランスを取ることが可能となる。
とりわけ、酸化還元電位の目標値付近の範囲では、塩素系酸化剤も安定化剤も薬注しないことにより、薬注量を節約することが出来る。
【００９１】
〔３  第３実施形態〕
以下、本発明の第３実施形態である水処理システム１Ｂについて、図６を参照しながら説明する。
【００９２】
〔３．１  発明の構成〕
図３は、本実施形態に係る水処理システム１Ｂの全体構成図である。なお、以下では説明の簡略化のため、主として、水処理システム１Ｂが第１実施形態に係る水処理システム１と相違する点について説明する。
【００９３】
水処理システム１Ｂは、水処理システム１が有する各構成要素に加えて、透過水ラインＬ２上の逆浸透膜モジュール１４よりも下流側にシリカ濃度センサ１０が設置される。
【００９４】
シリカ濃度センサ１０は、透過水ラインＬ２を流通する透過水Ｗ２０のシリカ濃度を検出する機器である。シリカ濃度センサ１０は、透過水ラインＬ２に接続されている。また、シリカ濃度センサ１０は、制御部３０と電気的に接続されている。シリカ濃度センサ１０で検出された透過水Ｗ２０のシリカ濃度値（以下、「検出シリカ濃度値」ともいう）は、制御部３０へ検出信号として送信される。シリカ濃度センサ１０としては例えば比色式のセンサを用いることが可能である。
【００９５】
〔３．２  第３実施形態の動作〕
本実施形態において、シリカ濃度センサ１０が検出するシリカ濃度が所定値以上であった場合に、薬剤濃度調整部３３は、給水Ｗ１１における遊離塩素や安定化剤による酸化力を弱めるように、給水Ｗ１１中の薬剤濃度を調整する。より具体的には、シリカ濃度センサ１０が検出するシリカ濃度が所定値以上であった場合に、目標設定部３１は、検出されたシリカ濃度が所定値を超えた幅に基づいて、酸化還元電位の目標値を下方にシフトさせる。更に、薬剤濃度調整部３３は、酸化還元電位の目標値のシフトに伴って、この目標値が含まれる上記の第２領域、すなわちＰ１以上Ｐ２未満の領域のＰ１及びＰ２の値を下方にシフトさせる。
薬剤濃度調整部３３は、上記の第２領域を下方にシフトさせた上で、図３のフローチャートに示される動作を実行する。
【００９６】
〔３．３  第３実施形態の効果〕
上述した本実施形態に係る水処理システム１Ｂによれば、例えば、以下のような効果が奏される。
水処理システム１Ｂは、透過水Ｗ２０中のシリカ濃度を検出するシリカ濃度センサ１０を備え、シリカ濃度センサ１０により検出されたシリカ濃度が所定の閾値以上であった場合に、薬剤濃度調整部３３は、遊離塩素及び安定化剤による酸化力を弱めるように給水中の薬剤濃度を調整する。
これにより、逆浸透膜からリークされたシリカが検出されたため、逆浸透膜にダメージが発生していることが推察される場合に、薬注による酸化力を弱めることによって、逆浸透膜に発生するダメージの程度を小さくすることが可能となる。
【００９７】
また、目標設定部３１は、シリカ濃度センサ１０により検出されたシリカ濃度に基づいて酸化還元電位の目標値を設定する。
シリカが検出されたことをトリガとして、シリカ濃度に応じて酸化還元電位の目標値を下げることにより、薬注による酸化力を弱めることで、水処理システムの管理を厳しくすることが可能となる。
【００９８】
〔４  変形例〕
以上、本発明の好適な実施形態について説明したが、本発明は、上述した実施形態に限定されることなく、種々の形態で実施することができる。
【００９９】
〔４．１  変形例１〕
例えば、第２薬剤添加装置４は、第２薬剤として酸化剤を添加することにより、給水Ｗ１１中の遊離塩素濃度を調整するとしたが、これには限定されない。第２薬剤添加装置４は、第２薬剤として還元剤を添加してもよく、この場合、給水Ｗ１１に元々含まれている遊離塩素濃度を低下させる。この還元剤としては、例えばＳＢＳ（ＮａＨＳＯ３：重亜硫酸ソーダ）を用いてもよい。
また、水処理システム１及び１Ａが、そもそも第２薬剤添加装置４を備えず、遊離塩素濃度を調整しない構成としてもよい。
【０１００】
〔４．２  変形例２〕
また、水質センサ７が、給水Ｗ１１に含まれる還元剤の濃度を測定する場合、制御部が水質センサ７から受信した還元性物質濃度の測定値を用いて、給水Ｗ１１中の遊離塩素濃度を調整するため、水処理システム１の運転開始時における給水Ｗ１１への第１薬剤及び第２薬剤の薬注量を設定するとしたが、これには限定されない。例えば、除鉄・除マンガン装置としてのろ過装置を用いることにより、前処理として給水Ｗ１１から還元性物質を除去してもよい。
【０１０１】
〔４．３  変形例３〕
また、水処理システム１、１Ａ、及び１Ｂは、上記の実施形態とは異なる構成を有してもよい。例えば、上記では循環水ラインＬ４を備えるとしたが、これには限定されず、循環水ラインＬ４を有さない構成としてもよい。また、ＯＲＰセンサ５、及び／又はｐＨセンサ６は、第１給水ラインＬ１１ではなく、濃縮排水ラインＬ５に設置されてもよい。
【０１０２】
〔４．４  変形例４〕
また、水処理システム１、１Ａ、及び１Ｂにおいて、制御部３０及び３０Ａは、第１薬剤添加装置３による第１薬剤の薬注、及び第２薬剤添加装置４による第２薬剤の薬注をＯＮ／ＯＦＦ制御するとしたが、これには限定されない。例えば、上記の薬注によって制御される酸化還元電位が、目標値となるように、或いは目標電位範囲に含まれるように、各々の薬剤添加装置が薬注するために用いるバルブの開度を、Ｐ制御、ＰＩ制御、又はＰＩＤ制御してもよい。
【０１０３】
〔４．５  変形例５〕
第３実施形態に係る水処理システム１Ｂは、第１実施形態に係る水処理システム１において、透過水ラインＬ２上の逆浸透膜モジュール１４よりも下流側にシリカ濃度センサ１０を新たに設置した構成としたが、これには限定されない。例えば、第２実施形態に係る水処理システム１Ａにおいて、透過水ラインＬ２上の逆浸透膜モジュール１４よりも下流側にシリカ濃度センサ１０を新たに設置した構成としてもよい。
【０１０４】
〔４．６  変形例６〕
第３実施形態に係る水処理システム１Ｂにおいては、透過水ラインＬ２上に設置されたシリカ濃度センサ１０により透過水Ｗ２０のシリカ濃度を測定し、このシリカ濃度に基づいて、薬剤濃度調整部３３は給水Ｗ１１中の薬剤濃度を調整するとしたが、これには限定されない。例えば、透過水Ｗ２０のシリカ濃度に基づいて、逆浸透膜モジュール１４における回収率を設定したり、第２薬剤添加装置４が給水ラインＬ１に添加する薬剤の種類を変更したりしてもよい。また、透過水Ｗ２０のシリカ濃度に加えて、濃縮水Ｗ３０のシリカ濃度を測定し、双方のシリカ濃度に基づいて算出される、逆浸透膜モジュール１４でのシリカの阻止率に基づいて、薬剤濃度調整部３３は給水Ｗ１１中の薬剤濃度を調整してもよい。
【０１０５】
〔４．７  変形例７〕
また、水処理システム１、１Ａ、及び１Ｂは、更に、耐塩素膜を使用すると、膜劣化の影響をより受け難くなるのでより好適である。上述の薬注調整手法と併用することで、より劣化影響を低減することができる。耐塩素膜としては、例えばポリアミド系の材料を用いて製造されるものがある。
【０１０６】
〔４．８  変形例８〕
また、水処理システム１、１Ａ、及び１Ｂにおいて、膜洗浄工程にも上記の薬剤を添加した給水を用いて行うのが好ましい。膜洗浄工程としては、フラッシング等が有るが、濃縮水ラインに給水ラインを接続して通水しても良い。
【符号の説明】
【０１０７】
１，１Ａ，１Ｂ水処理システム、
３  第１薬剤添加装置（安定化剤薬注装置）
４  第２薬剤添加装置（酸化剤薬注装置）
５  ＯＲＰセンサ
６  ｐＨセンサ
７  水質センサ（水質測定手段）
１２  加圧ポンプ
１４  逆浸透膜モジュール
３０，３０Ａ  制御部
３１，３１Ａ  目標設定部
３２  酸化還元電位補正部
３３，３３Ａ  薬剤濃度調整部
Ｌ１  給水ライン、Ｌ２  透過水ライン、Ｌ３  濃縮水ライン、
Ｌ４  循環水ライン、Ｌ５  濃縮排水ライン、
Ｌ１１  第１給水ライン、Ｌ１２  第２給水ライン
【図１】
2020082020.tif 000003
【図２】
2020082020.tif 000004
【図３】
2020082020.tif 000005
【図４】
2020082020.tif 000006
【図５】
2020082020.tif 000007
【図６】
2020082020.tif 000008